(57)【要約】【課題】消費電力が少なく、寿命が長く、効率的に明るくでき、効率的に小さく収納できる提灯ランタンの提供を課題とする。【解決手段】器１と蓋２とを蛇腹折の筒形状である透光膜３で連結し、器１の内側にLEDの発光体４を設け、蓋２の内側に反射体５を設け、発光体４から出る光を該反射体５で反射し、該反射光を透光膜３へ効率的に投光して効率的に明るくする。効率的な反射を実現するために、反射体５を円錐形にして、真下から発する光を斜め下に位置する透光膜３へ投光する。発光体４を基板９の上に円形に並べて固定し、複数の反射体５を連ねた集合体で反射連７を形成し、透光膜３を縮めることで反射連７の先領域は円形に並んだ発光体４の中央領域へ収納され、反射連７が折り畳まれるので、本体全体は効率良く小さく収納できる。【選択図】図１
0003164428.tif 000002
【実用新案登録請求の範囲】
【請求項１】
器１と蓋２とを透光膜３で連結し、器１の内側に発光体４を設け、蓋２の内側に反射体５を設け、透光膜３を折畳み可能にすることを特徴とする提灯ランタン。
【請求項２】
透光膜３を折畳み可能にする構造として、該透光膜３は蛇腹折部６を有する筒形状にしたことを特徴とする請求項１記載の提灯ランタン。
【請求項３】
該発光体４をLEDにし、該反射体５を複数連ねて反射連７にし、前記反射連７にしたことで折畳み可能にしたことを特徴とする請求項１または請求項２記載の提灯ランタン。
【考案の詳細な説明】
【技術分野】
【０００１】
本考案は、折畳み携帯型照明器具に関するものである。
【背景技術】
【０００２】
従来の折畳み携帯型照明器具は、小田原提灯があり、又、特許文献１で公開されるランプシェードがあった。該小田原提灯は光源であるロウソクの周囲を竹ヒゴで囲って、和紙を貼り付けて膜を作っていた。該ランプシェードは光源である電球の周囲を、蛇腹折にされた透光膜で囲っていた。
【先行技術文献】
【特許文献】
【０００３】
【特許文献１】特開２００８−２５８１２６号公報
【考案の概要】
【考案が解決しようとする課題】
【０００４】
ロウソクは着火の恐れがあり、電球は電気消費量が大きく、両者共に寿命が短いものであった。又、一方向からの光源であるため、非効率な照明器具であった。本考案では、前記従来技術の問題解決を課題にする。
【課題を解決するための手段】
【０００５】
器の内側に取り付ける発光体をLEDにし、蓋の内側に円錐形の反射体を設け、該反射体を複数重ね合わせて折り畳み可能な反射連にし、透光膜に蛇腹折部を形成して、該透光膜を深く蛇腹折りした状態で固定できる蛇腹筒にすることを最も主要な特徴とする。
【考案の効果】
【０００６】
発光体をLEDにしたことで電気消費量が少なくなった上に寿命が長くなり、反射体を設けたことで明るさが倍になり、反射体を反射連にして透光膜を蛇腹筒にしたことで全体を小さく収納でき、該蛇腹筒は深く蛇腹折りした状態で固定できるので、器と蓋どうしが嵌合固定しなくても、縮まった状態を保持できるという利点がある。
【図面の簡単な説明】
【０００７】
【図１】図１は伸び状態要部断面右側面簡略図である。（実施例１）
【図２】図２は縮み状態要部断面右側面簡略図である。
【図３】図３は伸び状態右側面図である。
【図４】図４は伸び状態正面斜視図である。
【図５】図５は伸び状態の反射連斜視図である。
【考案を実施するための形態】
【０００８】
省エネで寿命が長く、効率的に明るくなり、コンパクトに収納できる提灯ランタンを実現した。
【実施例１】
【０００９】
図１は伸び状態要部断面右側面簡略図であり、中央平面域１２の周囲縁が隆起した外輪壁８を有する皿型の器１と、前記同様に中央平面域１２の周囲に外輪壁８を有する概略同寸同形の蓋２とを天地の面対象の位置関係で設け、器１を底に位置付け、蓋２を天に位置付け、該器１と該蓋２との平面域１２の外周どうしを繋ぐ筒形状で透光膜３を設ける。該透光膜３は平らなシートを筒状に巻いて形成しても良いが、巻き方向と平行に山折谷折が交互に繰り返される蛇腹折の筒形状であることが望ましい。
【００１０】
器１の内側に設置する発光体４は豆電球であっても良いが、LEDであることが望ましく、以降発光体４はLEDとする。発光体４は単数であっても良いが複数が望ましく、並べ方は限定ではないが円形に並べることが望ましく、個数は限定ではなくて任意の明るさを得る為に任意の個数に変更すれば良く、6個〜８個程度が望ましい個数として図示する。発光体４は下面に配線の施された基板９上へ円形に並べて固定されており、基板９の下に室を設けて電池１０を収納し、該電池１０が発光体４を光らせる電源になる。器１の外輪壁８の正面に有頭ピン１１を設け、該有頭ピン１１は透光膜３の裾を貫いて固定する役目の他に、発光体４を光らせるオンオフのスイッチの役割も兼任する。
【００１１】
蓋２の内側に設置する反射体５の素材は限定ではなく、光を反射する素材ならば何でも良く、その中でも金属光沢のある素材が望ましく、金属光沢素材ではアルミ或いはステンレスが望ましい。反射体５の形状は平らな板であっても良いが、斜め下に位置する透光膜３へ効率良く反射させる構造として、円錐であることが望ましい。反射体５は単体であっても良いが、複数を連ねて伸縮できる反射連７にすることが望ましい。複数の反射体５を連結して反射連７を形成する構造は限定ではないが、望ましい構造を述べるならば、円錐形の反射面１４の隣接する縁どうしに重合縁１５を設け、該重合縁１５どうしが塞き止め合うので、伸びた状態の反射連７の反射体５どうしは抜けて外れない。反射連７は自重によって伸縮する構造であっても良いが、反射連７の中に設けた伸縮体１３の補助力によって伸縮する構造であることが望ましい。伸縮体１３の素材と構造は限定ではないが、コイル状のバネであることが望ましい。透光膜３の上縁の固定は限定ではないが、反射連７の最外周の縁で蓋２の内面へ挟み込んで固定するのが望ましい。
【００１２】
図２は縮み状態要部断面右側面簡略図であり、透光膜３の蛇腹折部６を蛇腹状に深く折り曲げることで透光膜３は縮み、該透光膜３の縮みによって器１と蓋２とが接近し、全体が小さく縮んで収納される。器１と蓋２との外輪壁８どうしの嵌合によって該縮み状態が保持されても良いが、透光膜３の蛇腹折部６が深く折れ曲がって固定される蛇腹折固定構造が望ましい。該蛇腹折固定構造は従来技術であるが、該蛇腹折の折れ曲がり方向を一方向に傾ける（図面では天方向へ傾いている）ことで固定状態が保持される。
【００１３】
反射連７が縮む構造は、重合縁１５どうしが離れることで行われる。発光体４が円形に並んでいることで、反射連７の中央部の先端領域が該円形の中央部に収納され、発光体４を巧く避けた状態で反射連７を縮めることができる。反射連７の縮みによって伸縮体１３も縮まっており、伸縮体１３が伸びようとする力は抑制されている。
【００１４】
図３は伸び状態右側面図であり、蛇腹折部６の屈折角が概略九十度に浅くなれば筒形状の透光膜３は伸びた状態になり、器１と蓋２は離れている。器１の外輪壁８の正面は部分的に突出しており、該突出部分が有頭ピン１１の収納箇所になる。蓋２の外輪壁８に取手１６を設けることが望ましく、該取手１６の取り付け部分は回転可能な回転部１７であることが望ましい。
【００１５】
図４は伸び状態正面斜視図であり、器１の外輪壁８の正面部分に有頭ピン１１が収納されており、該有頭ピン１１は透光膜３の裾の固定とスイッチの役割を果たす。蓋２は透光膜３に対して回転スライドが可能な状態で固定されている。蓋２の外輪壁８に回転部１７を介してテープ状の取手１６がアーチ状の半円形状で取り付けられており、蓋２の外輪壁８の一方の縁は適宜に突出して凸縁１８と成り、該凸縁１８は水平に倒れた状態に収納される取手１６の塞き止め縁の役目を果たす。器１と蓋２との中央領域である平面域１２は、円形であることが望ましい。
【００１６】
図５は伸び状態の反射連斜視図であり、反射連７は複数の反射体５が連続的に連なった集合体である。反射体５の基本形状は円錐形であり、該円錐の斜面を反射面１４とし、該円錐の縁を金属絞りによって屈折した領域を重合縁１５とする。該重合縁１５どうしが塞き止められた状態で固定しているので、伸びた状態の反射連７の反射体５は分離しない。反射連７を形成する反射体５の数は限定ではないが、反射体５の数が三つで一つの反射連７を形成することが望ましい。
【産業上の利用可能性】
【００１７】
本考案は携帯用であるが、据え置き型の用途にも適用できる。
【符号の説明】
【００１８】
１    器
２    蓋
３    透光膜
４    発光体
５    反射体
６    蛇腹折部
７    反射連
【図１】
0003164428.tif 000003
【図２】
0003164428.tif 000004
【図３】
0003164428.tif 000005
【図４】
0003164428.tif 000006
【図５】
0003164428.tif 000007